(57)【要約】【課題】ラックマウント電源装置において制御基準値設定時の信号線を、背面のスペースがない場合でも接続しやすい構造。【解決手段】前面に窓を有するフロントパネルを固着したシャーシ上に電源装置を組み付けて、該窓の投影される位置に接続用具を配置し、該窓に対して防滴構造の蓋を具備する構造としたことで、電源装置が設置されためっき現場等で、再設定用信号を外部からこの電源装置の制御回路に接続する際に、重い電源装置をラックから引出す必要がなく、稼動の中断を要しないで出力特性設定値の変更が可能である。【選択図】  図１
2006101603.tif 000002
【特許請求の範囲】
【請求項１】
電源装置の制御回路に接続する設定用信号線を外部から接続する接続手段を具備し、電源装置が組みつけられたシャーシ付き前面パネルを有するラックマウント電源装置に於いて、前面パネルに窓を設けて、この窓から奥まった位置に前記接続手段を配置したことを特徴とするラックマウント電源装置の信号線接続構造。
【請求項２】
電源装置の制御回路に接続する設定用信号線を外部から接続する接続手段を具備し、電源装置が組みつけられたシャーシ付き前面パネルを有するラックマウント電源装置に於いて、前面パネルに窓を設けて、この窓から投影されるシャーシの位置に前記接続手段を配置したことを特徴とするラックマウント電源装置の信号線接続構造。
【請求項３】
前記前面パネルの窓に、防滴構造の蓋を具備する請求項１乃至２記載のラックマウント電源装置の信号線接続構造。
【請求項４】
前記接続手段が、複数の接触子から形成されたコネクターである請求項１乃至２記載のラックマウント電源装置の信号線接続構造。
【請求項５】
前記電源装置が、入力側整流器、制御機能付き電力インバータ、高周波トランス、出力側整流器、制御回路を具備し、電圧制御出力特性または電流制御出力特性を有する電源装置であることを特徴とする、請求項１乃至４記載のラックマウント電源装置の信号線接続構造。
【請求項６】
前記電源装置の制御回路が、制御機能付き電力インバータを制御するデジタル制御回路であることを特徴とする、請求項１と２及び５記載のラックマウント電源装置の信号線接続構造。
【発明の詳細な説明】
【技術分野】
【０００１】
本発明は，オープンラックやキャビネットラックにマウントする構造の、めっき用電源装置に組み込まれた制御回路に対して、初期設定時および、設定値変更時に外部から信号線を接続する場合の信号線接続構造に関するものである。
【背景技術】
【０００２】
従来のこの種の技術としては（特開２００３−１５２３４５号）公報、名称（電子機器の筐体構造）に保守作業性の良い電子機器の筐体構造が開示されている。同広報にキャビネットラックに機能ユニット用サブラックが組み込まれる構造が、従来例として示されている。同公報の段落（０００８）に（機能ユニットサブラックの背面には背面パネルが螺子止めされ外部接続端子が設けられ、該外部接続端子と前記給電端子とは内部ケーブルにより接続）、段落（０００９）に（電源用サブラックの背面には背面パネルが螺子止めされ該背面パネルに設けられた外部接続端子と電源ユットの背面に取付けられた電源端子とは内部ケーブルにより接続）との記述がある。
【０００３】
発明の内容として、同公報の段落（００２５）に、（シャーシの底面に電源ユニットが取付けられ、シャーシの背面には端子台が取付けられている。端子台と前記シャーシの電源端子とは中継ケーブルにより接続されている）、段落（００２９）に、（前記電源ユニット組を前記機能ユニット用サブラックに組み込んだ後、給電端子と端子台とをケーブルにより接続し、更に機能ユニット用サブラックの背面に背面パネルを取付ける）、段落（００２７）に（前記電源ユニット組は機能ユニット用サブラックに対して前面側からスライドして収納可能としたので、電源ユニット組の着脱作業が簡単になり、組立作業性、保守性が向上する）との技術開示がある。この事例ではサブラックに電源ユニット組が機能ユニットと共に組みつけられており、このユニット間の配線がサブラック内でつながっていて作業性向上の効果があった。
【０００４】
【特許文献１】「特開２００３−１５２３４５号」公報
【発明の開示】
【発明が解決しようとする課題】
【０００５】
上記のような技術が開示されている、ところが電源装置の出力が長いケーブルで、広いめっき槽に配線されているめっき用の電源装置の場合、めっき現場に設置された電源装置の再調整などで保守性が悪かった。例えばディジタル制御によって自動制御された出力特性を有する電源ユニットであり、めっきの種類や方法によって電源の出力特性を変更したいとの要求が出され、最初に設定された条件と異なる出力特性に再設定する必要が稼動中の現場で生じる。電源装置が設置されためっき現場で、出力特性設定値を変更するため、再設定用信号を外部からこの電源装置の制御回路に接続する必要が生じる。
【０００６】
電源装置が設置された場所に該装置の後面カバーを外して背面から作業できるようなスペースがない場合が多く、上面が空いたシャーシつきの前面パネルをラックから引き出して電源装置に組み込まれた制御回路部分に対して、再設定用信号発生器の出力信号線を接続して再設定する作業では重い電源装置を引き出す為、装置の前後が狭い場所などでの作業性が悪かった。再設定用信号発生器の出力信号線を接続して再設定する作業の不便さを排除した信号線接続構造を有する電源装置を提供することが本発明の目的である。
【課題を解決するための手段】
【０００７】
請求項１に関しては
電源装置の制御回路に接続する設定用信号線を外部から接続する接続手段を具備し、電源装置が組みつけられたシャーシ付き前面パネルを有するラックマウント電源装置に於いて、前面パネルに窓を設けて、この窓から奥まった位置に前記接続手段を配置したことを特徴とするラックマウント電源装置の信号線接続構造とした。
【０００８】
請求項２に関しては、
電源装置の制御回路に接続する設定用信号線を外部から接続する接続手段を具備し、電源装置が組みつけられたシャーシ付き前面パネルを有するラックマウント電源装置に於いて、前面パネルに窓を設けて、この窓から投影されるシャーシの位置に前記接続手段を配置したことを特徴とするラックマウント電源装置の信号線接続構造とした。
【０００９】
請求項３に関しては、
前記前面パネルの窓に、防滴構造の蓋を具備する請求項１乃至２記載のラックマウント電源装置の信号線接続構造とした。
【００１０】
請求項４に関しては、
前記接続手段が、複数の接触子から形成されたコネクターである請求項１乃至３記載のラックマウント電源装置の信号線接続構造とした。
【００１１】
請求項５に関しては
前記電源装置が、入力側整流器、制御機能付き電力インバータ、高周波トランス、出力側整流器、制御回路を具備し、電圧制御出力特性または電流制御出力特性を有する電源装置であることを特徴とする、請求項１乃至４記載のラックマウント電源装置の信号線接続構造とした。
【００１２】
請求項６に関しては
前記電源装置の制御回路が、制御機能付き電力インバータを制御するデジタル制御回路であることを特徴とする請求項５記載のラックマウント電源装置の信号線接続構造とした。
【発明の効果】
【００１３】
本発明によれば再設定する作業で、重い電源装置をラックから引き出すことは不要となった。信号線が電源装置の前面から接続できて作業性が大幅に向上した。
【発明を実施するための最良の形態】
【００１４】
図１に於いてラックにマウントされる電源装置は前面パネル１を固着したシャーシ２に電源の主回路６及び制御回路７が組みつけられている。前面パネルのハンドル１３を持ってラックから引出すことが可能な筐体である。前面パネル１には窓３が設けられて該窓の投影される位置にコネクター５が配置されて制御回路７からリード線がコネクター５に接続される。前面パネル１の窓３に蓋４が防滴構造に形成され窓３を覆うように蝶番で開閉自在に取付けられている。図２に示す電源装置の回路構成は、入力端子につながる交流を入力側整流器８で直流化して電力インバータ９で高周波交流に変換すると同時に制御回路７の信号によって出力電力を制御し高周波トランス１０で変圧し、出力側整流器１１で直流化して、めっき槽に直流を供給する。制御回路７の初期設定や変更設定のディジタル信号がコネクター５を介して制御回路７に接続される。高周波交流に変換することによってトランスが大幅に軽量化されたので、めっき用の大電流電源のラックマウント電源が製作できた。
【００１５】
図３によってコネクター５の配置構造を説明すると、窓４の投影される範囲１２にコネクター５を配置し作業場所が手暗がりになっても挿入して確実に接続できる、取付け場所はシャーシ２でも、前面パネル１でもよい。前面パネル１の奥まった所に、シャーシにＬ型取付け具でコネクター５を固定した状態を図３（Ａ）に示した。前面パネル１の裏面にコの字形に取付け具を形成してコネクター５を固定した状態を図３（Ｂ）に示した。この状態のコネクターにディジタル設定の信号線のコネクターを差し込んで初期設定や変更設定を信号生成装置から接続する作業は、前面パネルの蓋を開けるだけでよく、重い電源をラックから引き出す必要が無いので作業性が向上した。
【産業上の利用可能性】
【００１６】
本発明による前面パネルに窓を設けて、この窓から奥まった位置に接続手段を配置したラックマウント電源装置の信号線接続構造としたので、装置の製作が容易な構造であり、稼動の中断を要しないので設備の利用効率が向上し産業上の価値が高い。
【図面の簡単な説明】
【００１７】
【図１】本発明による実施の形態を示す構造図。
【図２】本発明による実施の形態を示す回路構成図。
【図３】本発明による実施の形態を示す要部拡大図。
【符号の説明】
【００１８】
１    前面パネル
２    シャーシ
３    窓
４    蓋
５    コネクター
６    主回路
７    制御回路
８    入力側整流器
９    電力インバータ
１０    高周波トランス
１１    出力側整流器
１２    窓の投影される範囲
１３    ハンドル
【図１】
2006101603.tif 000003
【図２】
2006101603.tif 000004
【図３】
2006101603.tif 000005